(57)【特許請求の範囲】
【請求項１】
弱電界エリアで携帯電話端末が制御信号によりその電源をオフ状態にさせられ、交換局が、このオフ状態をデータベースに登録した後、基地局を介し前記携帯電話端末からの所定の電源再投入操作を識別し、すでにデータベースに登録されている当該携帯電話端末の電源オフ状態を解除し、当該携帯電話端末がこの登録解除確認を検出することにより、携帯電話端末の電源をオン状態にすることを特徴とする携帯電話システム。
【請求項２】
弱電界エリアでの電源をオフさせるための情報を受信し自動的に電源をオフ状態とし電源再投入のため予め定めた時間内に複数回の電源ボタン操作を行う所定の操作を必要とする携帯電話端末と、前記携帯電話端末と無線回線を介し信号の送受信を行う基地局と、前記基地局からの電波の電界を減衰させる電波遮蔽器と、前記電波遮蔽器の内部に設けられ前記携帯電話端末の電源をオフさせるための情報を送出する電源オフ報知無線機と、前記携帯電話端末が電源オフエリアに在圏中である場合携帯電話端末の識別番号ごとに電源オフ状態を登録しておくためのデータベースと、前記基地局を介し前記携帯電話端末ならびに前記データベースと接続し前記所定の操作を識別し携帯電話端末の電源状態の管理制御を行う交換局とを備えることを特徴とする携帯電話システム。
【請求項３】
前記携帯電話端末は、無線信号の送受信を行う高周波部と、受信した無線信号の電界レベル及び弱電界エリアでの電源をオフさせるための情報をチェックしその結果を前記高周波部に出力する電界レベル／電源オフ情報チェック回路と、電源オフを示す符号を予め記憶しておくための第１のメモリ部と、前記第１のメモリ部から読み出した符号と前記高周波部から受信した符号とを比較し両符号が一致したときには前記高周波部から指示応答信号を交換局に対し送信させる第１の符号照合回路と、前記第１の符号照合回路で前記両符号が一致したとき携帯電話端末が電源オフエリアに在圏中であることを表示させる表示制御部と、電源を自動的にオフさせる旨のメッセージ及び電源再投入のためのメッセージを記憶しておくための音声メモリ部と、前記音声メモリ部から所定のメッセージを読み出す音声再生起動制御部と、前記音声再生起動制御部が読み出したメッセージを音声出力するスピーカと、所定の時限後に電源をオフ状態にさせるためのタイマ起動回路と、電源オフエリア在圏解除を示す符号を予め記憶しておくための第２のメモリ部と、前記第２のメモリ部から読み出した符号と前記高周波部から受信した符号とを比較し両符号が一致したときには電源を再投入する信号を出力する第２の符号照合回路と、前記タイマ起動回路あるいは前記第２の符号照合回路の指示に基づき電源の切断あるいは再投入を行う電源制御部とを備えることを特徴とする請求項２記載の携帯電話システム。
【請求項４】
前記交換局は、前記電源オフ報知無線機及び前記基地局と接続し信号の送受信を行う信号送受信部と、前記信号送受信部で受信した信号を識別しこの識別に対応する制御を行う端末電源管理部と、前記携帯電話端末の電源再投入のため所定の時限を計数するタイマと、前記端末電源管理部の指示に基づき前記データベースに携帯電話端末の電源オフ状態を登録あるいは解除するための制御を行う端末電源状態登録制御部と、前記データベースに記憶している携帯電話端末の電源状態を参照する端末電源状態参照部と、予め記憶したメッセージを前記端末電源状態参照部の指示に基づき出力するメッセージ格納部とを備えることを特徴とする請求項２記載の携帯電話システム。
【請求項５】
制御信号により携帯電話端末の電源の切断投入を制御する携帯電話システムにおける端末電源制御方法において、携帯電話端末が電源オフエリア在圏中のとき制御信号により携帯電話端末の電源をオフ状態にさせ、このオフ状態であることを携帯電話端末を接続制御する交換局によってデータベースに当該の携帯電話端末の識別番号ごとに登録しておき、携帯電話端末の電源再投入に際し、前記データベースに登録されている電源オフ状態を当該携帯電話端末における所定の操作により解除させ、このデータベースでの解除確認が携帯電話端末側で取れた時点で携帯電話端末の電源をオン状態にすることを特徴とする携帯電話システムにおける端末電源制御方法。
【請求項６】
前記操作は、予め定めた複数回数の電源ボタン操作が所定時間内に行われることであることを特徴とする請求項５記載の携帯電話システムにおける端末電源制御方法。
【請求項７】
予め定めた複数回数の電源ボタン操作が所定時間内に行われなかったときには、携帯電話端末の電源オフ状態を継続させることを特徴とする請求項５記載の携帯電話システムにおける端末電源制御方法。
【発明の詳細な説明】
【０００１】
【発明の属する技術分野】
本発明は携帯電話システムに関し、特に携帯電話機の使用が規制されるエリアでの携帯電話システムの端末電源制御機能に関する。
【０００２】
【従来の技術】
従来、携帯電話機から発せられる電波により医療機器等に悪影響を与える場合や、携帯電話機の使用が好ましくない場所に入った場合、自動的に携帯電話機の電源をオフするシステムが、例えば、特開平１１−２９８９７１号公報に開示されている。規制エリアに進入した携帯電話機では、電源を自動的にオフする旨の情報を携帯電話機の所持者に報知している。
【０００３】
【発明が解決しようとする課題】
上述した従来の携帯電話システムにおける端末電源制御では、規制エリアに携帯電話機が進入した場合、強制的に携帯電話機の電源を自動的にオフさせることができるが、この電源を自動的にオフさせた後、操作ミス等により電源を誤って投入してしまうことがある。さらに、電源を自動的にオフさせた後、緊急で電源投入の必要性が起こった場合、再投入できず不便な状況になっている。
【０００４】
本発明の目的は、規制エリアで自動的に電源オフとした場合、通信規制エリアでいたずらあるいは誤操作により電源の再投入を防止し、且つ緊急事態等で電源の再投入が必要なときには対応可能な操作性及び利便性に富む携帯電話システム及びその端末電源制御方法を提供することにある。
【０００６】
【課題を解決するための手段】
本発明の携帯電話システムは、弱電界エリアで携帯電話端末が制御信号によりその電源をオフ状態にさせられ、交換局が、このオフ状態をデータベースに登録した後、基地局を介し前記携帯電話端末からの所定の電源再投入操作を識別し、すでにデータベースに登録されている当該携帯電話端末の電源オフ状態を解除し、当該携帯電話端末がこの登録解除確認を検出することにより、携帯電話端末の電源をオン状態にする構成である。
【０００７】
また、本発明の携帯電話システムは、弱電界エリアでの電源をオフさせるための情報を受信し自動的に電源をオフ状態とし電源再投入のため予め定めた時間内に複数回の電源ボタン操作を行う所定の操作を必要とする携帯電話端末と、前記携帯電話端末と無線回線を介し信号の送受信を行う基地局と、前記基地局からの電波の電界を減衰させる電波遮蔽器と、前記電波遮蔽器の内部に設けられ前記携帯電話端末の電源をオフさせるための情報を送出する電源オフ報知無線機と、前記携帯電話端末が電源オフエリアに在圏中である場合携帯電話端末の識別番号ごとに電源オフ状態を登録しておくためのデータベースと、前記基地局を介し前記携帯電話端末ならびに前記データベースと接続し前記所定の操作を識別し携帯電話端末の電源状態の管理制御を行う交換局とを備える。前記携帯電話端末は、無線信号の送受信を行う高周波部と、受信した無線信号の電界レベル及び弱電界エリアでの電源をオフさせるための情報をチェックしその結果を前記高周波部に出力する電界レベル／電源オフ情報チェック回路と、電源オフを示す符号を予め記憶しておくための第１のメモリ部と、前記第１のメモリ部から読み出した符号と前記高周波部から受信した符号とを比較し両符号が一致したときには前記高周波部から指示応答信号を交換局に対し送信させる第１の符号照合回路と、前記第１の符号照合回路で前記両符号が一致したとき携帯電話端末が電源オフエリアに在圏中であることを表示させる表示制御部と、電源を自動的にオフさせる旨のメッセージ及び電源再投入のためのメッセージを記憶しておくための音声メモリ部と、前記音声メモリ部から所定のメッセージを読み出す音声再生起動制御部と、前記音声再生起動制御部が読み出したメッセージを音声出力するスピーカと、所定の時限後に電源をオフ状態にさせるためのタイマ起動回路と、電源オフエリア在圏解除を示す符号を予め記憶しておくための第２のメモリ部と、前記第２のメモリ部から読み出した符号と前記高周波部から受信した符号とを比較し両符号が一致したときには電源を再投入する信号を出力する第２の符号照合回路と、前記タイマ起動回路あるいは前記第２の符号照合回路の指示に基づき電源の切断あるいは再投入を行う電源制御部とを備えることを特徴とする請求項２記載の携帯電話システム。また、前記交換局は、前記電源オフ報知無線機及び前記基地局と接続し信号の送受信を行う信号送受信部と、前記信号送受信部で受信した信号を識別しこの識別に対応する制御を行う端末電源管理部と、前記携帯電話端末の電源再投入のため所定の時限を計数するタイマと、前記端末電源管理部の指示に基づき前記データベースに携帯電話端末の電源オフ状態を登録あるいは解除するための制御を行う端末電源状態登録制御部と、前記データベースに記憶している携帯電話端末の電源状態を参照する端末電源状態参照部と、予め記憶したメッセージを前記端末電源状態参照部の指示に基づき出力するメッセージ格納部とを備える。
【０００９】
また、本発明の携帯電話システムにおける端末電源制御方法は、制御信号により携帯電話端末の電源の切断投入を制御する携帯電話システムにおける端末電源制御方法において、携帯電話端末が電源オフエリア在圏中のとき制御信号により携帯電話端末の電源をオフ状態にさせ、このオフ状態であることを携帯電話端末を接続制御する交換局によってデータベースに当該の携帯電話端末の識別番号ごとに登録しておき、携帯電話端末の電源再投入に際し、前記データベースに登録されている電源オフ状態を当該携帯電話端末における所定の操作により解除させ、このデータベースでの解除確認が携帯電話端末側で取れた時点で携帯電話端末の電源をオン状態にする構成であり、前記操作は、予め定めた複数回数の電源ボタン操作が所定時間内に行われ、予め定めた複数回数の電源ボタン操作が所定時間内に行われなかったときには、携帯電話端末の電源オフ状態を継続させる構成である。
【００１０】
【発明の実施の形態】
次に、本発明の実施の形態について図面を参照して説明する。
【００１１】
図１を参照すると、本発明の実施の形態である携帯電話システムの構成図が示されている。本システムでは、弱電界エリアでの電源をオフさせるための情報を受信し自動的に電源をオフ状態とし電源再投入のため予め定めた時間内に複数回の電源ボタン操作を行う所定の操作を必要とする携帯電話機１と、携帯電話機１と無線回線を介し信号の送受信を行う基地局２と、基地局２からの電波の電界を減衰させる電波遮蔽器３と、電波遮蔽器３の内部に設けられ携帯電話機１の電源をオフさせるための情報を送出するＰＯＷ−ＯＦＦ報知無線機４と、携帯電話機１が電源オフエリアに在圏中である場合携帯電話機１の識別番号ごとに電源オフ状態を登録しておくためのデータベース５と、基地局２を介し携帯電話機１ならびにデータベース５と接続し携帯電話機１での所定の操作を識別し携帯電話機１の電源状態の管理制御を行う交換局６とを備える。
【００１２】
電波遮蔽器３は、携帯電話機１が弱電界エリア進入時に受信電界レベルの低下を検出し、意図的に外部からの電波をある程度減衰させる。また、ＰＯＷ−ＯＦＦ報知無線機４は、交換局６よりＰＯＷ−ＯＦＦ情報報知信号を受信し、ＰＯＷ−ＯＦＦエリア内（電波遮蔽器内）に在圏中の携帯電話機１に対し、電源（ＰＯＷ）をオフ（ＯＦＦ）させるための情報を報知する。ＰＯＷ−ＯＦＦ情報報知信号は、ＰＯＷ−ＯＦＦ報知無線機内の受信部（図示せず）にて受信後、無線信号に変換し、携帯電話機１にＰＯＷ−ＯＦＦ情報を送信するための送信部（図示せず）に信号を伝達する。送信部では受信部からの情報を無線信号に変換し、携帯電話機１にＰＯＷ−ＯＦＦ情報を送信すべく、室内アンテナを通して閉空間（電波遮蔽器内）に放射する。
【００１３】
図２を参照すると、携帯電話機１は、無線信号の送受信を行う高周波部１１と、受信した無線信号の電界レベル及び弱電界エリアでの電源をオフさせるための情報をチェックしその結果を高周波部１１に出力する電界レベル／ＰＯＷ−ＯＦＦ情報チェック回路１２と、電源オフを示す符号を予め記憶しておくためのメモリ部Ａ１３と、メモリ部Ａ１３から読み出した符号と高周波部１１から受信した符号とを比較し両符号が一致したときには高周波部１１から指示応答信号を交換局に対し送信させる波形（符号）照合回路Ａ１４と、波形（符号）照合回路Ａ１４で両符号が一致したとき携帯電話機１が電源オフエリアに在圏中であることを表示させる表示制御部１５と、電源を自動的にオフさせる旨のメッセージ及び電源再投入のためのメッセージを記憶しておくための音声メモリ部１６と、音声メモリ部１６から所定のメッセージを読み出す音声再生起動制御部１７と、音声再生起動制御部１７が読み出したメッセージを音声出力するスピーカ１８と、所定の時限後に電源をオフ状態にさせるためのタイマ起動回路１９と、電源オフエリア在圏解除を示す符号を予め記憶しておくためのメモリ部Ｂ２０と、メモリ部Ｂ２０から読み出した符号と高周波部１１から受信した符号とを比較し両符号が一致したときには電源を再投入する信号を出力する波形（符号）照合回路Ｂ２１と、タイマ起動回路１９あるいは波形（符号）照合回路Ｂ２１の指示に基づき電源の切断あるいは再投入を行う電源制御部２２とを備える。
【００１４】
携帯電話機１は、ＰＯＷ−ＯＦＦ報知無線機４から報知される情報の有無を定期的にチェックする機能及び、予め自らのメモリに記憶してあるＰＯＷ−ＯＦＦ情報とを比較照合し、この照合の結果、合致している場合には、ＰＯＷ−ＯＦＦエリア在圏中である旨を示す情報及び当該加入者の加入者ＩＤ情報を含む情報を基地局２及び交換局６を経由してデータベース５に送信し、送信後自らの電源をＯＦＦする。また、交換局６から送信される携帯電話機１への表示情報を受信し、表示するとともに同じく交換局６から送信される音声再生情報を受信し、予め記憶してある音声を再生する。
【００１５】
携帯電話機１の電源がＯＦＦの状態から当該携帯電話機の操作者が携帯電話機１を手動操作にて電源ＯＮした時に、交換局６に対してＰＯＷ−ＯＮ要求を送信し、連続して手動にて電源ＯＮボタン押下した際に、その都度交換局６に対してＰＯＷ−ＯＮ要求を送信する。そのＰＯＷ−ＯＮ要求に対しＰＯＷ−ＯＦＦエリア在圏解除を示す情報を含むＰＯＷ−ＯＮ要求応答を受信し、受信したＰＯＷ−ＯＦＦエリア在圏解除有り／無しを判断する。ＰＯＷ−ＯＦＦエリア在圏解除有りの場合、当該携帯電話機１のＰＯＷ−ＯＮを可能とし、反対にＰＯＷ−ＯＦＦエリア在圏解除無しの場合、当該携帯電話機１より操作者に対し、ＰＯＷ−ＯＦＦ解除操作を促す音声ガイダンス等の音声を再生する。
【００１６】
図３を参照すると、交換局６は、ＰＯＷ−ＯＦＦ報知無線機及び基地局と接続し信号の送受信を行う信号送受信部６１と、信号送受信部６１で受信した信号を識別しこの識別に対応する制御を行う端末電源管理部６２と、携帯電話機１の電源再投入のため所定の時限を計数するタイマ６３と、端末電源管理部６２の指示に基づきデータベース５に携帯電話機１の電源オフ状態を登録あるいは解除するための制御を行う端末電源状態登録制御部６４と、データベース５に記憶している携帯電話機１の電源状態を参照する端末電源状態参照部６５と、予め記憶したメッセージを端末電源状態参照部６５の指示に基づき出力するメッセージ格納部６６とを備える。
【００１７】
交換局６は、携帯電話機１から基地局２を経由して得られるＰＯＷ−ＯＦＦエリア内に進入したことを示す情報を受信し、携帯電話機１に対し、自らの電源をＯＦＦさせるための情報を送信し、かつＰＯＷ−ＯＦＦ報知無線機４に対し、恒常的にＰＯＷ−ＯＦＦ情報を報知するに必要な報知情報の送信を行う。携帯電話機１の電源をＯＦＦさせるための情報送信に対する応答として、携帯電話機１よりＰＯＷ−ＯＦＦエリア在圏中情報及び当該加入者の加入者ＩＤ情報を含む情報を基地局を経由して受信する。この受信したＰＯＷ−ＯＦＦエリア在圏中情報及び、当該加入者の加入者ＩＤ情報をデータベース５に登録しておくために、データベース５に対して、ＰＯＷ−ＯＦＦエリア在圏登録情報を送信する。データベース５に当該加入者ＩＤとＰＯＷ−ＯＦＦエリア在圏情報登録後、他網（他交換局）より当該加入者に対し着信が有った場合、当該加入者ＩＤをインデックスとして当該加入者の携帯電話機１の電源状態を知るためにデータベース５に状態問い合わせを行う。
【００１８】
この状態問い合わせに対するデータベース５からの応答として、その応答情報を受信し、その応答情報にＰＯＷ−ＯＦＦエリア在圏中情報が含まれる場合、本情報に基づき、他交換局に対し音声等で当該加入者がＰＯＷ−ＯＦＦエリア在圏中で有る旨を通知する。また、当該携帯電話機１の操作者が携帯電話機を手動にて電源ＯＮした場合、基地局２を経由し、当該携帯電話機１からのＰＯＷ−ＯＮ要求を受信すると同時にタイマを起動させる。タイマ起動時間内に当該携帯電話機１の操作者が、例えば連続して３回手動にて電源ＯＮボタンを押下した際に、当該携帯電話機１より送信されるＰＯＷ−ＯＮ要求を連続３回受信した場合に、データベース５に登録されてある当該加入者の加入者ＩＤに対応する携帯電話機１の電源状態をＰＯＷ−ＯＦＦエリア在圏中から、ＰＯＷ−ＯＦＦエリア在圏解除の状態に変更する。そして、当該携帯電話機１の電源をＯＮ状態にできるよう、データベース５上に登録されているＰＯＷ−ＯＦＦエリア在圏中の状態をＰＯＷ−ＯＦＦエリア在圏解除の状態に登録情報を書き替えるためのＰＯＷ−ＯＮ要求をデータベース５に送信する。
【００１９】
当該加入者ＩＤに対応する携帯電話機１の電源状態（ＰＯＷ−ＯＦＦエリア在圏解除）をデータベース５に登録後、その応答としてＰＯＷ−ＯＦＦエリア在圏解除の情報を含むＰＯＷ−ＯＮ要求応答を受信する。さらにこのＰＯＷ−ＯＮ要求応答を基地局を経由し当該携帯電話機１へ送信する。逆に、当該携帯電話機１の操作者が携帯電話機１を手動にて電源ＯＮした場合、基地局を経由し、当該携帯電話機１からのＰＯＷ−ＯＮ要求を受信すると同時にタイマを起動させる。タイマ起動時間内に当該携帯電話機１の操作者が、連続して３回手動にて電源ＯＮボタンを押下しなかった際、つまり、当該携帯電話機１より、送信されるＰＯＷ−ＯＮ要求をタイマ起動時間内に、連続３回受信しなかった場合に、タイマ起動起動時間満了（タイム・アウト）により、ＰＯＷ−ＯＦＦエリア在圏解除の情報を含まないＰＯＷ−ＯＮ要求応答を、基地局２を経由し当該携帯電話機１に送信する。基地局２は、当該携帯電話機１から交換局６に対し送信される、ＰＯＷ−ＯＮ要求情報及び、反対に交換局６から当該携帯電話機１に対し送信されるＰＯＷ−ＯＮ要求応答情報を中継する。
【００２０】
データベース５は、交換局６より送信される加入者ＩＤ情報及びＰＯＷ−ＯＦＦエリア在圏中情報を含むＰＯＷ−ＯＦＦエリア在圏登録情報を受信し、受信した当該加入者ＩＤとＰＯＷ−ＯＦＦエリア在圏中情報をデータとして登録する。他交換局より当該加入者に対し、着信が有った場合、当該加入者ＩＤをインデックスとして当該加入者の携帯電話機１の電源状態を知るために交換局６より送信される状態問い合わせを受信し、この状態問い合わせに含まれる加入者ＩＤをインデックスとして、先に登録されている当該加入者ＩＤに対応した当該携帯電話機１の電源状態をデータベース５から読み出す。
【００２１】
データベース５から読み出した当該携帯電話機１の電源状態（ＰＯＷ−ＯＦＦエリア在圏中）を交換局６に対し、状態問い合わせに対する応答として、ＰＯＷ−ＯＦＦエリア在圏中情報を付加して送信する。また、データベース５に登録されてある当該加入者の加入者ＩＤに対応する携帯電話機１の電源状態をＰＯＷ−ＯＦＦエリア在圏中から、ＰＯＷ−ＯＦＦエリア在圏解除の状態に変更し、当該携帯電話機１の電源をＯＮ状態にできるよう、データベース５上に登録されているＰＯＷ−ＯＦＦエリア在圏解除の状態に登録情報を書き換えるため交換局６から送信されるＰＯＷ−ＯＮ要求を受信する。データをＰＯＷ−ＯＦＦエリア在圏解除の状態に書き換えた後、交換局６に対し、ＰＯＷ−ＯＮ要求に対する応答として、ＰＯＷ−ＯＮ要求応答を返送する。
【００２２】
以下に図１から図７を参照して本発明の実施の形態の動作を詳細に説明する。ここでは携帯電話機１は電源ＯＮの状態であることが前提となっている。携帯電話機１は、電源ＯＮの状態で、ＰＯＷ−ＯＦＦ報知無線機４より報知されるＰＯＷ−ＯＦＦ情報の有無を定期的にチェックする。携帯電話機１は図１に示す電波遮蔽器３内に在圏（弱電界エリア在圏）した場合、受信電界レベルの低下を検出しかつ、電波遮蔽器３内に設置されているＰＯＷ−ＯＦＦ報知無線機４から常時報知されるＰＯＷ−ＯＦＦ情報を受信した際、図２に示す電界レベル／ＰＯＷ−ＯＦＦ情報チェック回路１２により情報受信状況をチェックする。弱電界エリア在圏時、電波の弱まったことを基地局２を経由し交換局６に対し、申告１（受信電界レベル低下情報とＰＯＷ−ＯＦＦ情報及び加入者ＩＤを含む）を送信する。
【００２３】
交換局６は、ＰＯＷ−ＯＦＦ報知無線機４に対し、携帯電話機１の電源をＯＦＦさせるためＰＯＷ−ＯＦＦ情報報知信号を送信する。交換局６は、携帯電話機１より基地局２を経由し、受信電界レベル低下情報及びＰＯＷ−ＯＦＦ情報及び、加入者ＩＤ情報の含まれる信号（図４に示す申告１）を受信する。交換局６は、申告１信号により当該加入者ＩＤを保有する携帯電話機１が電源ＯＦＦを希望しているものと判断し、当該加入者ＩＤを保有する携帯電話機１に対し、基地局２を経由し、携帯電話機１のディスプレーへの表示情報及び音声再生情報を含む電源断制御のためのＰＯＷ−ＯＦＦ指示（図４に示す指示１）を送信する。
【００２４】
図４に示す指示１に含まれる表示情報は、携帯電話機１が交換局６より受信した指示１信号に基づき、波形照合結果合致後に、携帯電話機自らがＰＯＷ−ＯＦＦするまでの間、携帯電話機自身のディスプレー上に、まもなく当該携帯電話機１の電源がＯＦＦされる旨を表示するために使用される。
【００２５】
携帯電話機１は、交換局６より返送される指示１を受信する。携帯電話機１は、受信したＰＯＷ−ＯＦＦ指示（指示１）である電波の波形（符号）と予め図２に示すメモリ部Ａ１３に記憶してある波形（符号）とを比較照合し、照合の結果、合致している場合には、基地局２を経由して、交換局６に対し、指示１への応答（指示１応答）を返送する。この指示１応答には、当該加入者ＩＤ及びＰＯＷ−ＯＦＦエリア在圏中情報が含まれる。また、携帯電話機１は、指示１で受信した表示情報を用いて、図２に示す表示制御部１５により携帯電話機１のディスプレー上にメッセージを表示させる。かつ、携帯電話機１は、同じく指示１で受信した音声再生情報を用いて、携帯電話機１の電源を自動でＯＦＦする旨を音声で通知するために予め音声を蓄積してある図２に示す音声メモリ部１６から読み出し、音声再生起動制御部１７により音声の再生制御を行うと共に、電源ＯＦＦ制御を行うためのタイマ（図示せず）をタイマ起動回路１９により起動させる。携帯電話機１内のタイマ起動後のタイマ満了後、タイマ起動回路１９から電源制御部２２への信号により、携帯電話機自らの電源をＯＦＦさせる。
【００２６】
一方、交換局６では、交換局６より携帯電話機１に送信した電源断制御のためのＰＯＷ−ＯＦＦ指示（図４に示す指示１）に基づき、波形照合結果合致後の結果通知信号（図５に示す指示１応答）を携帯電話機１から受信し、ＰＯＷ−ＯＦＦ報知無線機４へのＰＯＷ−ＯＦＦ情報報知信号を除く他の全ての通信制御を完了する。
【００２７】
交換局６は、当該携帯電話機１がＰＯＷ−ＯＦＦエリア在圏中で有る旨をデータベース５に登録するために、先に図５の指示１応答で受信した情報（ＰＯＷ−ＯＦＦエリア在圏中情報及び加入者ＩＤ情報）を付加し図５に示すＰＯＷ−ＯＦＦエリア在圏登録をデータベース５に送信する。交換局６は、他交換局より当該携帯電話機１に着信の有った場合、当該携帯電話機１の電源の状態を問い合わせるために、データベース５に対し図５に示す状態問い合わせを送信する。
【００２８】
交換局６は、状態問い合わせに対する結果として応答をデータベース５から受信する。本応答には、先にデータベース５に登録されている当該携帯電話機１の電源状態であるＰＯＷ−ＯＦＦエリア在圏中情報が含まれる。交換局６は本応答受信後、他交換局に対し音声等で当該加入者がＰＯＷ−ＯＦＦエリア在圏中で有る旨を通知する。
【００２９】
交換局６は、当該携帯電話機１より手動で電源ＯＮ操作実施時、基地局２を経由して得られる図６に示すＰＯＷ−ＯＮ要求を受信する。このＰＯＷ−ＯＮ要求には加入者ＩＤが含まれる。交換局６は、当該携帯電話機１からのＰＯＷ−ＯＮ要求を受信すると同時にタイマを起動させる。交換局６は、タイマ起動時間内（例えば１０秒）に当該携帯電話機１の操作者が連続して３回手動にて電源ＯＮボタンを押下することにより、当該携帯電話機１より送信されるＰＯＷ−ＯＮ要求を連続３回受信した場合に、データベース５上に登録されているＰＯＷ−ＯＦＦエリア在圏中の状態を、ＰＯＷ−ＯＦＦエリア在圏解除の状態に登録情報を書き換えるため図６に示すＰＯＷ−ＯＮ要求をデータベース５に送信する。
【００３０】
交換局６は、データベース５でのＰＯＷ−ＯＦＦエリア在圏解除にデータを書き換え後、データベース５から図６に示すＰＯＷ−ＯＮ要求応答を受信する。本ＰＯＷ−ＯＮ要求応答には、当該携帯電話機１の電源状態であるＰＯＷ−ＯＦＦエリア在圏解除情報が含まれる。交換局６は基地局２を経由し、携帯電話機１に対し、図６に示すＰＯＷ−ＯＮ要求応答を返送する。本ＰＯＷ−ＯＮ要求応答には、当該加入者ＩＤに対応するＰＯＷ−ＯＦＦエリア在圏解除情報が付加されている。
【００３１】
また、交換局６は、タイマ起動時間内（１０秒）に当該携帯電話機１からのＰＯＷ−ＯＮ要求を連続３回受信しなかった場合、タイマの起動時間満了（タイム・アウト）により、図７に示すＰＯＷ−ＯＮ要求応答を、基地局２を経由し、携帯電話機１に対し返送する。本ＰＯＷ−ＯＮ要求応答には、当該加入者ＩＤに対応するＰＯＷ−ＯＦＦエリア在圏解除情報は、付加されていない。
【００３２】
携帯電話機１では、受信したＰＯＷ−ＯＮ要求応答に含まれるＰＯＷ−ＯＦＦエリア在圏解除の電波の波形（符号）と、予め図２に示すメモリ部Ｂ２０に記憶してある波形（符号）とを比較照合し、照合の結果合致している場合には、波形（符号）照合回路Ｂ２１から電源制御部２２への信号により、携帯電話機１自らの電源ＯＮ状態にする。反対に、比較照合の結果合致しなかった場合、例えば受信したＰＯＷ−ＯＮ要求応答に含まれる情報が、ＰＯＷ−ＯＦＦエリア在圏解除でなかった場合、波形（符号）照合回路Ｂ２０からの音声再生起動制御部１７への信号により、手動で電源ＯＮ操作実施者に、ＰＯＷ−ＯＦＦを促す旨を、音声あるいはビー音で通知するために、予め音声を蓄積してある音声メモリ部１６から音声を読み出し、音声の再生制御を行う。
【００３３】
本実施の形態では、携帯電話機１の電源再投入に際し電源ボタンを３回連続して押下する場合を例示したが、必ずしも３回に限定されるものではなく、予め所定の複数回を定めておけばよい。
【００３４】
本発明は、携帯電話機１からの申告をトリガーとした交換局６からの指示により、携帯電話機自らが電源をＯＦＦ及び再投入制御を行っているので、より確実に他の電子機器の動作に悪影響を与えることを未然に防止することができるため、病院、空港の搭乗口等でも効果的である。なお、規制エリアで通信可能な電界を有する場合、緊急事態発生時には携帯電話機の電源を意図的に入れ使用できるので、使い勝手も向上する。
【００３５】
【発明の効果】
以上説明したように本発明によれば、規制エリアで自動的に電源オフとした場合、携帯電話端末の規制エリアでのいたずらあるいは誤操作により電源の再投入を防止し、且つ緊急事態等で電源の再投入が必要なときには所定の操作で電源投入が可能であり操作性及び利便性を向上させることができる。
【図面の簡単な説明】
【図１】本発明の実施の形態を示す携帯電話システムの構成図である。
【図２】図１における携帯電話機の内部構成を示す図である。
【図３】図１における交換局の本発明に係わる内部構成を示す図である。
【図４】本発明の実施の形態の動作を説明するためのシーケンス図である。
【図５】本発明の実施の形態の動作を説明するためのシーケンス図である。
【図６】本発明の実施の形態で交換局にて所定のＰＯＷ−ＯＮ要求が受信できたときの動作を説明するためのシーケンス図である。
【図７】本発明の実施の形態で交換局にて所定のＰＯＷ−ＯＮ要求が受信できなかったときの動作を説明するためのシーケンス図である。
【符号の説明】
１    携帯電話機
２    基地局
３    電波遮蔽器
４    ＰＯＷ−ＯＦＦ報知無線機
５    データベース
６    交換局
１１    高周波部
１２    電界レベル／ＰＯＷ−ＯＦＦ情報チェック回路
１３    メモリ部Ａ
１４    波形（符号）照合回路Ａ
１５    表示制御部
１６    音声メモリ部
１７    音声再生起動制御部
１８    スピーカ
１９    タイマ起動回路
２０    メモリ部Ｂ
２１    波形（符号）照合回路Ｂ
２２    電源制御部
６１    信号送受信部
６２    端末電源管理部
６３    タイマ
６４    端末電源状態登録制御部
６５    端末電源状態参照部
６６    メッセージ格納部
【図１】
0003541801.tif 000002
【図２】
0003541801.tif 000003
【図３】
0003541801.tif 000004
【図４】
0003541801.tif 000005
【図５】
0003541801.tif 000006
【図６】
0003541801.tif 000007
【図７】
0003541801.tif 000008